【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
イベントを識別するイベント識別情報と当該イベントに関する１以上のキーワードとを互いに関連付けて記憶することが可能なキーワード記憶部と、
イベント情報登録サーバからイベントを識別するイベント識別情報と当該イベントに関する詳細情報とを取得し、前記取得した詳細情報から１以上の第１のキーワードを抽出し、前記抽出した１以上の第１のキーワードと前記イベント識別情報とを互いに関連づけて前記キーワード記憶部に登録する第１のキーワード登録部と
を具備するサーバ装置。
【請求項２】
請求項１に記載のサーバ装置であって、
前記抽出した１以上の第１のキーワードを含む１以上の発言をＳＮＳサーバより取得し、前記取得した１以上の発言から１以上の第２のキーワードを抽出し、前記イベント識別情報と関連付けて前記キーワード記憶部に登録する第２のキーワード登録部
をさらに具備するサーバ装置。
【請求項３】
請求項１または２に記載のサーバ装置であって、
前記イベント情報登録サーバは、電子番組表を管理するＥＰＧサーバであり、
前記第１のキーワード登録部は、前記ＥＰＧサーバから、番組を識別する番組識別情報を前記イベント識別情報として取得するとともに、当該番組に関する詳細情報を前記詳細情報として取得する
サーバ装置。
【請求項４】
請求項２に記載のサーバ装置であって、
前記情報端末から、ユーザが前記ＳＮＳサーバに対して投稿済みの発言を検索するために入力された発言検索用キーワードと前記イベント識別情報とを含む第１のキーワード登録要求を取得したとき、この第１のキーワード登録要求に含まれる前記発言検索用キーワードと前記イベント識別情報とを互いに関連づけて前記キーワード記憶部に登録する第３のキーワード登録部
をさらに具備するサーバ装置。
【請求項５】
請求項２または４に記載のサーバ装置であって、
前記情報端末から、ユーザが前記ＳＮＳサーバに投稿した発言から抽出された１以上のキーワードと前記イベント識別情報とを含む第２のキーワード登録要求を取得したとき、この第２のキーワード登録要求に含まれる前記発言から抽出された１以上のキーワードと前記イベント識別情報とを互いに関連づけて前記キーワード記憶部に登録する第４のキーワード登録部
をさらに具備するサーバ装置。
【請求項６】
請求項５に記載のサーバ装置であって、
前記第１、第２、第３及び第４のキーワード登録部は、１つのイベントを時間的に分離するコーナ毎に当該イベントに対応するキーワードを前記キーワード記憶部に登録する
サーバ装置。
【請求項７】
請求項１ないし６のいずれか１項に記載のサーバ装置であって、
前記キーワード記憶部の内容をもとに、前記イベント識別情報毎の、過去所定期間内のキーワード毎の登録要求の数をカウントして上位所定数のキーワードからキーワードランキングを作成するキーワードランキング作成部と、
前記イベント識別情報と前記キーワードランキングとを互いに関連付けて記憶することが可能なキーワードランキング記憶部とをさらに具備し、
前記キーワードランキング作成部は、前記作成したキーワードランキングと前記イベント識別情報と関連付けて前記キーワードランキング記憶部に登録する
サーバ装置。
【請求項８】
請求項７項に記載のサーバ装置であって、
前記キーワードランキング作成部は、１つのイベントを時間的に分離するコーナ毎に当該イベントに対応するキーワードランキングを作成する
サーバ装置。
【請求項９】
請求項２ないし８のいずれか１項に記載のサーバ装置であって、
情報端末から、当該情報端末のユーザが参加するイベントを識別するイベント識別情報を含むキーワード取得要求を受信したとき、前記イベント識別情報に関連付けられた１以上のキーワードを検索して前記情報端末にＳＮＳサーバに投稿済みの発言を検索するための発言検索用キーワードの候補として応答するキーワード配信サーバに、前記キーワード記憶部に互いに関連づけて登録された前記イベント識別情報と前記キーワードとを提供するキーワード提供部
をさらに具備するサーバ装置。
【請求項１０】
請求項９に記載のサーバ装置であって、
前記キーワード提供部は、前記キーワード配信サーバに、前記キーワードランキング記憶部に互いに関連づけて登録された前記イベント識別情報と前記キーワードランキングとを提供する
サーバ装置。
【請求項１１】
イベントを識別するイベント識別情報と当該イベントに関する１以上のキーワードとを互いに関連付けて記憶することが可能なキーワード記憶部と、イベント情報登録サーバからイベントを識別するイベント識別情報と当該イベントに関する詳細情報とを取得し、前記取得した詳細情報から１以上の第１のキーワードを抽出し、前記抽出した１以上の第１のキーワードと前記イベント識別情報とを互いに関連づけて前記キーワード記憶部に登録する第１のキーワード登録部とを有するサーバ装置により公開された、ユーザの参加イベントを識別するイベント識別情報に関連付けられた前記１以上のキーワードを取得するキーワード取得部と、
前記取得されたキーワードをＳＮＳサーバに投稿済みの発言を検索するための発言検索用キーワードの候補としてユーザに提示する提示部と、
前記提示された候補からユーザによって選択された発言検索用キーワードを含む検索要求を前記ＳＮＳサーバに供給する検索要求部と
を具備する情報端末。
【請求項１２】
請求項１１に記載の情報端末であって、
前記キーワード取得部は、前記参加イベントを識別するイベント識別情報を含むキーワード取得要求をキーワード配信サーバに送信して、前記イベント識別情報に関連付けられた１以上のキーワードをＳＮＳサーバに投稿済みの発言を検索するための発言検索用キーワードの候補として取得する
情報端末。
【請求項１３】
請求項１１または１２に記載の情報端末であって、
前記キーワード取得部は、前記イベント識別情報毎に、過去所定期間内のキーワード毎の登録要求数をもとに作成されたキーワードランキングを前記キーワード配信サーバより取得し、
前記提示部は、前記キーワード配信サーバから取得したキーワードランキングをユーザに提示し、
前記検索要求部は、前記提示されたキーワードランキングからユーザによって選択されたキーワードを発言検索用キーワードとして含む検索要求を前記ＳＮＳサーバに供給する
情報端末。
【請求項１４】
請求項１２または１３に記載の情報端末であって、
ユーザが前記ＳＮＳサーバに投稿済みの発言を検索するために入力した発言検索用キーワードと前記参加イベントを識別するイベント識別情報とを含む第１のキーワード登録要求を前記サーバ装置に送信する第１のキーワード登録要求部
をさらに具備する情報端末。
【請求項１５】
請求項１２ないし１４のいずれか１項に記載の情報端末であって、
ユーザが前記ＳＮＳサーバに投稿した発言からキーワードを抽出し、抽出したキーワードと前記イベント識別情報とを含む第２のキーワード登録要求を前記サーバ装置に送信する第２のキーワード登録要求部
をさらに具備する情報端末。
【請求項１６】
イベントを識別するイベント識別情報と当該イベントに関する１以上のキーワードとを互いに関連付けて記憶することが可能なキーワード記憶部と、
イベント情報登録サーバからイベントを識別するイベント識別情報と当該イベントに関する詳細情報とを取得し、前記取得した詳細情報から１以上の第１のキーワードを抽出し、前記抽出した１以上の第１のキーワードと前記イベント識別情報とを互いに関連づけて前記キーワード記憶部に登録する第１のキーワード登録部
としてコンピュータを機能させるプログラム。